(57)【要約】【課題】分割型ディスクタンブラー式シリンダー錠であっても容易に開錠することができる開錠工具を提供することである。【解決手段】複数の工具本体を備え、工具本体が、開錠工具を把持するためのグリップ部分と、グリップ部分の一端から延び、途中の個所から開錠工具の長さ方向軸線に対して角度αだけ傾斜した細長いアーム部分とを有する１又は複数の第１種の工具本体と、開錠工具を把持するためのグリップ部分と、グリップ部分の一端から延び、途中の個所から開錠工具の長さ方向軸線に対して、第１種の工具本体とは反対方向に角度αだけ傾斜した細長いアーム部分とを有する１又は複数の第２種の工具本体とからなり、第１種及び第２種の工具本体の各々のアーム部分の先端部の外側又は内側又は外側及び内側に、複数の突起がそれぞれ設けられており、第１種の工具本体と第２種の工具本体とを交互に重ね合わせてピン止めされる。【選択図】　図１
2004132068.tif 000002
【特許請求の範囲】
【請求項１】
開錠工具であって、
複数の工具本体を備え、前記工具本体が、
開錠工具を把持するためのグリップ部分と、グリップ部分の一端から延び、途中の個所から開錠工具の長さ方向軸線に対して角度αだけ傾斜した細長いアーム部分とを有する１又は複数の第１種の工具本体と、
開錠工具を把持するためのグリップ部分と、グリップ部分の一端から延び、途中の個所から開錠工具の長さ方向軸線に対して、前記第１種の工具本体とは反対方向に角度αだけ傾斜した細長いアーム部分とを有する１又は複数の第２種の工具本体と、
からなり、
前記第１種及び第２種の工具本体の各々のアーム部分の先端部の外側又は内側又は外側及び内側に、複数の突起がそれぞれ設けられており、
前記第１種の工具本体と前記第２種の工具本体とを交互に重ね合わせ、互いに回転可能となるようにピン止めすることによって組み立てられることを特徴とする開錠工具。
【請求項２】
前記各グリップ部分が弾性リングで固定されていることを特徴とする請求項１に記載の開錠工具。
【請求項３】
前記角度αが４°〜７５°であることを特徴とする請求項１又は２に記載の開錠工具。
【請求項４】
前記角度αが２５°〜３０°であることを特徴とする請求項３に記載の開錠工具。
【請求項５】
前記突起が、半円形、或いは多角形、或いは回動可能又は回動不能にアーム部分に取付けられた円板であることを特徴とする請求項１から４までのいずれか１項に記載の開錠工具。
【請求項６】
前記突起のうち最先端に位置する突起が、他の突起よりも僅かに小さいことを特徴とする請求項１から５までのいずれか１項に記載の開錠工具。
【請求項７】
前記各工具本体の間にスペーサが介在されていることを特徴とする請求項１から６までのいずれか１項に記載の開錠工具。
【発明の詳細な説明】
【０００１】
【発明の属する技術分野】
本発明は一般に、開錠工具に関する。より詳細には、本発明は、分割型ディスクタンブラー式シリンダー錠にも対処できる開錠工具に関する。
【０００２】
【従来の技術】
従来、自動車の鍵を車内に置き忘れたまま施錠してしまったり、或いは鍵自体を紛失してしまったりした場合には、専門の錠前開け業者に依頼して錠を開けてもらうのが通常である。錠前開けの依頼を受けた業者の技術者は、ピックと通称される開錠工具と錠のシリンダーを回転させるテンションを使用して、錠前開け作業を行う。
【０００３】
【発明が解決しようとする課題】
しかしながら、近年、錠の構造が複雑になってきており、専門の技術者であっても、開錠が容易でないシリンダ錠が開発されている。特に、従来のディスクタンブラー式シリンダー錠をより複雑な構造にした分割型ディスクタンブラー式シリンダー錠（図８（ａ）参照）は、ディスクタンブラーが一対の分割されたディスクタンブラーによって構成されているため、従来の開錠工具を使用しても開錠することが困難であった。より詳細に説明すると、従来の開錠工具を使用して開錠しようとすると、図８（ｂ）に示されるように、左右のディスクタンブラーが噛み合ってしまい、開錠することができないという弊害があった。
【０００４】
したがって、本発明は、分割型ディスクタンブラー式シリンダー錠であっても容易に開錠することができる開錠工具を提供することを目的としている。
【０００５】
【課題を解決するための手段】
本願請求項１に記載の開錠工具は、複数の工具本体を備え、前記工具本体が、開錠工具を把持するためのグリップ部分と、グリップ部分の一端から延び、途中の個所から開錠工具の長さ方向軸線に対して角度αだけ傾斜した細長いアーム部分とを有する１又は複数の第１種の工具本体と、開錠工具を把持するためのグリップ部分と、グリップ部分の一端から延び、途中の個所から開錠工具の長さ方向軸線に対して、前記第１種の工具本体とは反対方向に角度αだけ傾斜した細長いアーム部分とを有する１又は複数の第２種の工具本体とからなり、前記第１種及び第２種の工具本体の各々のアーム部分の先端部の外側又は内側又は外側及び内側に、複数の突起がそれぞれ設けられており、前記第１種の工具本体と前記第２種の工具本体とを交互に重ね合わせ、互いに回転可能となるようにピン止めすることによって組み立てられることを特徴とするものである。
【０００６】
本願請求項２に記載の開錠工具は、前記請求項１の開錠工具において、前記各グリップ部分が弾性リングで固定されていることを特徴とするものである。
【０００７】
本願請求項３に記載の開錠工具は、前記請求項１又は２の開錠工具において、前記角度αが４°〜７５°であることを特徴とするものである。
【０００８】
本願請求項４に記載の開錠工具は、前記請求項３の開錠工具において、前記角度αが２５°〜３０°であることを特徴とするものである。
【０００９】
本願請求項５に記載の開錠工具は、前記請求項１から４までのいずれか１項の開錠工具において、前記突起が、半円形、或いは多角形、或いは回動可能又は回動不能にアーム部分に取付けられた円板であることを特徴とするものである。
【００１０】
本願請求項６に記載の開錠工具は、前記請求項１から５までのいずれか１項の開錠工具において、前記突起のうち最先端に位置する突起が、他の突起よりも僅かに小さいことを特徴とするものである。
【００１１】
本願請求項７に記載の開錠工具は、前記請求項１から６までのいずれか１項の開錠工具において、前記各工具本体の間にスペーサが介在されていることを特徴とするものである。
【００１２】
【発明の実施の形態】
次に図面を参照して、本発明の好ましい実施の形態に係る開錠工具について詳細に説明する。図１は、本発明の好ましい実施の形態に係る開錠工具の斜視図、図２は、図１の開錠工具の分解斜視図である（ただし、後述する弾性リングは図示せず）。図１及び図２において全体として参照符号１０で示される本発明の好ましい実施の形態に係る開錠工具は、第１工具本体１２と、第２工具本体１４と、第３工具本体１６と、第４工具本体１８とを備えている。
【００１３】
第１工具本体１２は、第１工具本体１２即ち開錠工具１０を把持するためのグリップ部分１２ａと、グリップ部分１２ａの一端から延びた細長いアーム部分１２ｂとを有している。アーム部分１２ｂは、図３に最も良く示されるように、その長さの途中の個所から、第１工具本体１２即ち開錠工具１０の長さ方向軸線（一点鎖線で図示）に対して、角度αだけ傾斜した状態で延びている。角度αは好ましくは、４°〜７５°であり、最も好ましくは２５°〜３０°である。
【００１４】
アーム部分１２ｂの先端部の外側には、連続した半円形の第１突起１２ｃ及び第２突起１２ｄが設けられている。ここで、「外側」とは、開錠工具１０の長さ方向軸線と反対の側を意味する。第１突起１２ｃは、好ましくは、図示されるように、第２突起１２ｄよりも僅かに小さい。これは、開錠作業時に突起１２ｃ、１２ｄを錠のシャーラインと平行にして隣接するディスクタンブラーを同時に容易に押すことができるようにするためである。なお、グリップ部分１２ａの一端付近に開口部１２ｅが設けられ、グリップ部分１２ａの他端付近に開口部１２ｆが設けられている。
【００１５】
第２工具本体１４は、アーム部分が第１工具１２のアーム部分１２ｂと反対側に傾斜している点を除いて、第１工具１２と実質的に同一である。すなわち、第２工具本体１４は、グリップ部分１４ａと、アーム部分１４ｂと、アーム部分１４ｂの先端部の外側に設けられた連続した半円形の第１突起１４ｃ及び第２突起１４ｄと、グリップ部分１４ａの両端付近にそれぞれ設けられた開口部１４ｅ、１４ｆとを有している。
【００１６】
第３工具本体１６は、第１工具本体１２と実質的に同一である。すなわち、第３工具本体１６は、グリップ部分１６ａと、アーム部分１６ｂと、アーム部分１６ｂの先端部の外側に設けられた連続した半円形の第１突起１６ｃ及び第２突起１６ｄと、グリップ部分１６ａの両端付近にそれぞれ設けられた開口部１６ｅ、１６ｆとを有している。
【００１７】
第４工具本体１８は、第２工具本体１４と実質的に同一である。すなわち、第４工具本体１８は、グリップ部分１８ａと、アーム部分１８ｂと、アーム部分１８ｂの先端部の外側に設けられた連続した半円形の第１突起１８ｃ及び第２突起１８ｄと、グリップ部分１８ａの両端付近にそれぞれ設けられた開口部１８ｅ、１８ｆとを有している。
【００１８】
開錠工具１０は、第１工具本体１２、第２工具本体１４、第３工具本体１６、及び第４工具本体１８の順に重ね合わせ、開口部１２ｅ、１４ｅ、１６ｅ、１８ｅにピン２０（図２において参照符号２０ａは、ピン２０を止めるためのナットを示す）を通すことによって組み立てられる。これにより、各工具本体１２、１４、１６、１８は、ピン２０を中心として回転するように組み立てられる。なお、通常の使用時には、各工具本体が回転しないように、グリップ部分１２ａ、１４ａ、１６ａ、１８ａは、弾性リング２２で固定される。弾性リング２２としては、例えば輪ゴム等が使用される。図面では、弾性リング２２は、１つしか示されていないが、複数の弾性リングでグリップ部分を固定してもよい。
【００１９】
各工具本体１２、１４、１６、１８は、鋼、ステンレス等の金属材料の薄片、プラスチック等の合成樹脂材料で形成される。各工具本体のグリップ部分、アーム部分、及び第１及び第２突起は、一体形成するのが好ましい。
【００２０】
以上のように構成された開錠工具１０の使用について説明する。最初に、図４を参照して、分割型ディスクタンブラー式シリンダー錠の開錠について説明する。まず、当該シリンダー錠の鍵孔にテンション工具（図示せず）を作用させる。次いで、開錠工具１０のアーム部分１２ｂ〜１８ｂを鍵孔に挿入し、図４（ｃ）に示されるように、突起１２ｃ〜１８ｄを最奥部のディスクタンブラーに当てる（より詳細に説明すると、上方に傾斜した或るアーム部分（例えば１２ｂ）の突起を最奥部の一方のディスクタンブラーに当て、上方に傾斜した別のアーム部分（例えば１６ｂ）の突起を最奥部のもう一方のディスクタンブラーに当てる）。そして、下方に傾斜したアーム部分（この場合には１４ｂ、１８ｂ）を支点として、上方に傾斜したアーム部分の突起によって一対のディスクタンブラーを押し上げる。その際、状況に応じて、図５（ａ）に示されるように、グリップ部分の後部（アーム部分が設けられている側と反対側）を上下させて、突起の位置を微調整してもよい。ディスクタンブラーがシャーラインと一線になると、当該ディスクタンブラーは内筒のスロット内に係止され、一線の状態を維持する。同様の作業を各ディスクタンブラーについて行うことにより、全てのディスクタンブラーがシャーラインと一線になり（図４（ｄ）参照）、開錠作業は完了する。
【００２１】
次に、図６を参照して、ピンシリンダー錠の開錠について説明する。ピンシリンダー錠の場合には、２つの工具本体のみを用いる。したがって、まず、図５（ｂ）に示されるように、開錠工具１０の第３及び第４工具本体１６、１８を回転させて、第１及び第２工具本体１２、１４を弾性リング２２で固定する。次いで、当該シリンダー錠の鍵孔にテンション工具（図示せず）を作用させる。次いで、開錠工具１０のアーム部分１２ｂ、１４ｂを鍵孔に挿入し、図６（ｂ）に示されるように、上方に傾斜したアーム部分の突起を最奥部のピンに当てる。そして、下方に傾斜したアーム部分を支点として、上方に傾斜したアーム部分の突起によってピンを押し上げる。ピンがシャーラインと一線になると、当該ピンは内筒のスロット内に係止され、一線の状態を維持する。同様の作業を各ピンについて行うことにより、全てのピンがシャーラインと一線になり（図６（ｃ）参照）、開錠作業は完了する。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
例えば、前記実施の形態では、突起がアーム部分の先端部の外側に設けられているが、突起を、アーム部分の先端部の内側に設けてもよいし（図７（ａ）参照。この場合には、内溝錠に対処可能となる。）、アーム部分の先端部の外側と内側の両方に設けてもよい（図７（ｂ）参照）。ここで、「内側」とは、外側の反対側、即ち、開錠工具１０の長さ方向軸線と同じ側を意味する。
【００２４】
また、アーム部分の先端部に、円板を回動可能に又は回動不能に取り付けることによって、突起としてもよく（図７（ｃ）参照）、突起を半円形ではなく多角形としてもよい（図７（ｄ）参照）。また、突起の数を、３個以上としてもよい（図７（ｅ）参照）。
【００２５】
また、前記実施の形態では、開錠工具１０が４つの工具本体によって構成されているが、工具本体の数は、複数であればよい。さらに、各工具本体の間にスペーサ（図示せず）を介在させてもよい。
【００２６】
【発明の効果】
本発明の開錠工具によれば、熟練した技術者でなくとも、ディスクタンブラー式シリンダー錠及びピンシリンダー錠を容易に開錠することができ、特に、最新式の分割型ディスクタンブラー式シリンダー錠であっても容易に開錠することが可能である。
【図面の簡単な説明】
【図１】本発明の好ましい実施の形態に係る開錠工具の斜視図である。
【図２】図１の開錠工具の分解斜視図である。
【図３】図１の開錠工具の正面図である。
【図４】図１の開錠工具の使用法を示した図であって、（ａ）は分割型ディスクタンブラー式シリンダー錠の正面図、（ｂ）は（ａ）の側断面図、（ｃ）は図１の開錠工具を使用してディスクタンブラーを押し上げている状態を示した側断面図、（ｄ）はシャーラインが揃った状態を示した側断面図である。
【図５】（ａ）は、開錠工具の後部を上下させて、突起の位置を微調整している状態を示した正面図、（ｂ）は、図１の開錠工具の第３及び第４工具本体を回転させて第１及び第２工具本体を弾性リングで固定した状態を示した正面図である。
【図６】図１の開錠工具の別の使用法を示した図であって、（ａ）ピンシリンダー錠の側断面図、（ｂ）は図５の開錠工具を使用してピンを押し上げている状態を示した側断面図、（ｃ）はシャーラインが揃った状態を示した側断面図である。
【図７】本発明の開錠工具のアーム部分の先端部に設けられる突起の変形形態を示した図である。
【図８】従来技術の開錠工具の使用時における課題を説明するための図である。
【符号の説明】
１０　開錠工具
１２、１４、１６、１８　工具本体
１２ａ、１４ａ、１６ａ、１８ａ　グリップ部分
１２ｂ、１４ｂ、１６ｂ、１８ｂ　アーム部分
１２ｃ、１２ｄ、１４ｃ、１４ｄ、１６ｃ、１６ｄ、１８ｃ、１８ｄ　突起
２０　ピン
２２　弾性リング
【図１】
2004132068.tif 000003
【図２】
2004132068.tif 000004
【図３】
2004132068.tif 000005
【図４】
2004132068.tif 000006
【図５】
2004132068.tif 000007
【図６】
2004132068.tif 000008
【図７】
2004132068.tif 000009
【図８】
2004132068.tif 000010